(57)【要約】【課題】競艇場でのレースの臨場感や緊迫感を表す生の音声を集音して、その音声を競艇場以外の場所に提供できるようにする。【解決手段】競艇場における水面上の所定位置に設置され、弾性材料からなる上側の中空円錐部１及び下側の中空フロート部４が一体的に組み付けられて、中空フロート部４内に空気が封入された競艇用ターンブイに対し、その中空円錐部１内にマイク３０をその集音部３２が中空円錐部１内の上部に位置するように配置し、このマイク３０の集音部３２に対応する中空円錐部１の側壁部１ｂ上部に音声取入口５３，５３，…を開口する。レース中の音声を音声取入口５３，５３，…を通してマイク３０に入力させて、それら音声を間近の位置で捉えるようにする。【選択図】  図１
2004276745.tif 000002
【特許請求の範囲】
【請求項１】
競艇場における水面上の所定位置に設置された競艇用ターンブイであって、
マイクが内蔵されていることを特徴とする競艇用ターンブイ。
【請求項２】
競艇場における水面上の所定位置に設置され、弾性材料からなる上側の中空円錐部及び下側の中空フロート部が一体的に組み付けられて少なくとも中空フロート部内に空気が密封された競艇用ターンブイであって、
上記中空円錐部内にマイクが配置され、
上記マイクの集音部に対応する中空円錐部の壁部に音声取入口が開口されていることを特徴とする競艇用ターンブイ。
【請求項３】
請求項２の競艇用ターンブイにおいて、
マイクの集音部は、中空円錐部内の上部に配置されていることを特徴とする競艇用ターンブイ。
【請求項４】
請求項３の競艇用ターンブイにおいて、
中空円錐部の側壁部上部に複数の音声取入口が上下複数段にかつ各段で周方向に間隔をあけて配列され、
上下に隣接する音声取入口が周方向に互いにずれていることを特徴とする競艇用ターンブイ。
【請求項５】
請求項２〜４のいずれか１つの競艇用ターンブイにおいて、
音声取入口は、マイクの集音部への風切り音の侵入を抑制する防水性を有する風切り音防止材で閉塞されていることを特徴とする競艇用ターンブイ。
【請求項６】
請求項２〜５のいずれか１つの競艇用ターンブイにおいて、
マイクは中空円錐部の壁部内面と間隔をあけて配置され、
上記マイクと中空円錐部の壁部内面との間に遮音材が介在されていることを特徴とする競艇用ターンブイ。
【請求項７】
請求項２〜６のいずれか１つの競艇用ターンブイにおいて、
中空円錐部内の空間と仕切る中空フロート部の上壁部にマイクが支持されていることを特徴とする競艇用ターンブイ。
【請求項８】
請求項２〜７のいずれか１つの競艇用ターンブイにおいて、
マイクの接続ケーブルは、中空フロート部下面から引き出されていることを特徴とする競艇用ターンブイ。
【請求項９】
請求項２〜８のいずれか１つの競艇用ターンブイにおいて、
中空円錐部と中空フロート部とが一体的に接合されていることを特徴とする競艇用ターンブイ。
【請求項１０】
請求項２〜８のいずれか１つの競艇用ターンブイにおいて、
中空円錐部と中空フロート部とが分割可能に組み付けられていることを特徴とする競艇用ターンブイ。
【発明の詳細な説明】
【０００１】
【発明の属する技術分野】
本発明は、競艇用ターンブイ（ターンマーク）に関する技術分野に属する。
【０００２】
【従来の技術】
一般に、競艇場のコース水面上にはレース時の折返し点を表示するための第１及び第２ターンマークと呼ばれる１対のターンブイが設置されており、この両ターンブイ間を周回するコースをボートが走行するようになっている。
【０００３】
この競艇用ターンブイとしては、従来、その上下略中央よりも上側に位置する中空円錐部と、この中空円錐部よりも下側に位置する中空フロート部とを一体的に組み付けたものであり、これら中空円錐部及び中空フロート部の各壁部は、内部に補強布が埋設されるようにゴム製シート材を貼り合わせてなるものが知られている（例えば特許文献１及び特許文献２参照）。
【０００４】
【特許文献１】
実公昭５８―４８９５８号公報
【特許文献２】
特開平６―９９８８３号公報
【０００５】
【発明が解決しようとする課題】
ところで、競艇の舟券を購入する場合、競艇場に出向いて購入する他に、場外舟券売場でも舟券を購入することができる。前者の場合には、舟券を購入した後に、実際のレースの状況を観戦することができる。
【０００６】
これに対し、場外舟券売場で舟券を購入する後者の場合においては、レースの状況を見るには、カメラで撮像したレースの実況画像をモニタ画面で映し出して、そのモニタ画面からレースの状況を見ることが行われている。
【０００７】
しかし、上記場外舟券売場では、通常、モニタ画面にレース画像が映し出されているだけであり、実際に競艇場でレースを観戦するのとはレースの雰囲気で大きな隔たりがあり、その差をなくすことが望まれていた。
【０００８】
そこで、競艇場の側壁部等にマイクを取り付け、そのマイクによりレース音を集音し、そのレース音に効果音を加えてモニタ画面のレース画像と共に出力するようにしてもよいが、その場合、集音位置がコースを走行するボートの位置から離れているので、レース中の生々しい音声をそのまま捉えて出力することは難しく、やはりレースの臨場感や緊迫感が今１つ不足するのは否めない。
【０００９】
本発明は斯かる点に鑑みてなされたもので、その主たる目的は、競艇場におけるマイクの設置位置を工夫することにより、レースの臨場感や緊迫感を表す生の音声を集音して、その音声を競艇場以外の場所に提供できるようにすることにある。
【００１０】
【課題を解決するための手段】
上記の目的を達成するために、この発明では、競艇場においてボートが周回するコースを形成する上記ターンブイに着目し、その内部にマイクを設置するようにした。
【００１１】
すなわち、請求項１の発明では、競艇場における水面上の所定位置に設置された競艇用ターンブイであって、マイクが内蔵されていることを特徴とする。
【００１２】
また、請求項２の発明では、競艇場における水面上の所定位置に設置され、弾性材料からなる上側の中空円錐部及び下側の中空フロート部が一体的に組み付けられて少なくとも中空フロート部内に空気が密封された競艇用ターンブイであって、上記中空円錐部内にマイクが配置され、このマイクの集音部に対応する中空円錐部の壁部に音声取入口が開口されていることを特徴とする。
【００１３】
これら発明の構成によると、競艇場のコースを形成するターンブイの内部にマイクが配置されているので、レース中の音声、例えばターンブイ近くに待機中のボートやターンブイ周りを走行中のボートのエンジン音、選手の声がマイクに入力され、それら音声を間近の位置で捉えることができる。このことで、レースの臨場感や緊迫感を表す生の音声を効果音として集音でき、その音声を競艇場以外の場所に提供することが可能となる。
【００１４】
請求項３の発明では、上記マイクの集音部は、上記中空円錐部内の上部に配置されているものとする。こうすると、マイクの集音部が配置される集音空間が小さくなり、そのマイク集音部を中空円錐部内の上部以外の他の箇所に配置する場合のように、集音空間が大きくなって籠もり音をマイク集音部が拾うのを防止することができる。
【００１５】
請求項４の発明では、上記中空円錐部の側壁部上部に複数の音声取入口が上下複数段にかつ各段で周方向に間隔をあけて配列され、これら上下に隣接する音声取入口は周方向に互いにずれている構成とする。このことで、マイクに対し生の音声を、風切り音等の雑音や籠もり音等の変性のないクリアな状態で捉えることができ、レースの臨場感を表すのに望ましい音声が得られる。
【００１６】
請求項５の発明では、上記音声取入口は、マイクの集音部への風切り音の侵入を抑制する防水性を有する風切り音防止材で閉塞されているものとする。このことで、マイクの集音部に風切り音が入力するのを風切り音防止材により防止して、生の音声をより一層クリアな状態で捉えることができる。しかも、風切り音防止材は防水性を有するので、この風切り音防止材により水が音声取入口から中空円錐部内に入ってマイクにかかるのをも防いで、マイクの作動安定性や信頼性を高めることができる。
【００１７】
請求項６の発明では、上記マイクは中空円錐部の壁部内面と間隔をあけて配置され、このマイクと中空円錐部の壁部内面との間に遮音材が介在されている構成とする。こうすると、レースの音声が中空円錐部の壁部を経てマイクに入力されること、つまりレースの音声により中空円錐部の壁部が振動し、その振動をマイクが拾うことを防いで、そのレースの音声が籠もるのを防止でき、より一層クリアなレース音声を集音することができる。
【００１８】
請求項７の発明では、上記中空円錐部内の空間と仕切る中空フロート部の上壁部にマイクが支持されている構成とする。このように中空フロート部の上壁部にマイクを支持することで、同じマイクを中空円錐部の壁部に支持する場合のように中空円錐部の壁部の振動によりマイクが振動するのを防止でき、より一層クリアなレース音声を集音することができる。
【００１９】
請求項８の発明では、上記マイクの接続ケーブルは、中空フロート部下面から引き出されているものとする。こうすれば、ターンブイの設置状態ではマイクの接続ケーブルがターンブイの下側から水中に延びることとなり、そのケーブルが水面上に露出せず、外観見映えを向上させることができる。
【００２０】
請求項９の発明では、上記中空円錐部と中空フロート部とは一体的に接合されている構成とする。このことで、例えば走行中のボートがターンブイに接触したとしても中空円錐部と中空フロート部とは分離し難くなり、ターンブイの耐久性、信頼性を高めることができる。
【００２１】
請求項１０の発明では、上記中空円錐部と中空フロート部とは分割可能に組み付けられている構成とする。こうすると、例えばマイクの点検、マイク自体又はその内蔵電池の交換等をする場合に、中空円錐部と中空フロート部とを分割すればよく、その点検や交換を容易に行うことができる。
【００２２】
【発明の実施の形態】
図２及び図３は本発明の実施形態に係る競艇用ターンブイＡを示し、このターンブイＡは、競艇場のコース水面上の所定位置（例えば「第１ターンマーク」もしくは「第２ターンマーク」と称される位置、又はその両方の位置）に設置されるもので、上下略中央よりも上側に位置する所定のテーパ角を有する略円錐形状（詳しくは円錐台形状）の中空円錐部１と、この中空円錐部１の下側に位置し、上下２段のフロート部２，３（タイヤ部）を有する中空フロート部４（中空タイヤ部）とが一体的に組み付けられてなり、上記中空フロート部４内に空気が密封されており、この中空フロート部４内の空気によりターンブイＡが水面上に浮くようになっている。
【００２３】
上記中空円錐部１及び中空フロート部４はいずれも弾性材としてのゴムからなり、例えば図５、図９及び図１０に示すように、各々の壁部は、内部に補強布６が埋設されるようにゴム製シート材を貼り合わせてなる。また、図１に示すように、中空フロート部４における上下２段のフロート部２，３間の側壁部には補強心材７が埋め込まれている。そして、図２及び図３に示すように、ターンブイＡの外表面は中空円錐部１の上端（頂点）を中心とする円弧状の赤色部分及び白色部分との２色に交互に塗り分けられており、競技者が容易に認識できるようになっている。
【００２４】
上記ターンブイＡにおける中空円錐部１の円形状上壁部１ａの中心部には１つのアイボルト１０が取り付けられている。すなわち、図８に示すように、中空円錐部１の上壁部１ａにはナット部材１１がその上部上端面を周りの上壁部１ａ上面と略面一にして埋め込まれている。ナット部材１１の外周面には円板状のフランジ部１１ａが突設され、このフランジ部１１ａは中空円錐部１の上壁部１ａ内に、その補強布６よりも下側（ターンブイＡの上下中央側）に位置付けられており、このことでナット部材１１がフランジ部１１ａにより上方に抜け止めされた状態で中空円錐部１の上壁部１ａに気密状に埋め込まれている。このナット部材１１には上端面から下端面まで貫通する貫通ねじ孔１２が開口されており、この貫通ねじ孔１２に上記アイボルト１０が螺合されて取り付けられている。このアイボルト１０は取付時にねじ部の下端部が貫通ねじ孔１２を貫通してナット部材１１の下端面から下側に突出している。
【００２５】
一方、図４に示すように、中空フロート部４の底面にも４つのアイボルト１４，１４，…が周方向に等間隔をあけて取り付けられている。すなわち、図９に示すように、中空フロート部４の下壁部４ｂにおいて各アイボルト１４を取り付けようとする取付位置にはナット部材１５がその下端面を周りの下壁部４ｂ下面と略面一にして埋め込まれている。この各ナット部材１５の外周面には円板状のフランジ部１５ａが突設され、このフランジ部１５ａは中空フロート部４の下壁部４ｂ内に、その補強布６よりも上側（ターンブイＡの上下中央側）に位置付けられており、ナット部材１５はフランジ部１５ａにより下方に抜け止めされた状態で中空フロート部４の下壁部４ｂに気密状に埋め込まれている。このナット部材１５の下端面には有底状のねじ穴１６が開口されており、この有底ねじ穴１６に上記アイボルト１４が螺合されて取り付けられている。
【００２６】
そして、図２に示すように、上記中空フロート部４底面の４つのアイボルト１４，１４，…は水底面に植設したアンカＢにチェーンＣ及び戻り止めＤを介して連結されており、この連結構造によりターンブイＡが水面上に浮くように係留されて設置される。
【００２７】
上記中空フロート部４の上壁部４ａは中空円錐部１との仕切壁部を構成している。図５に示すように、この中空フロート部４の上壁部４ａ上面の周縁部にはリング状の係合突起１８が全周に亘り連続して一体に形成されている。この係合突起１８は、中空フロート部４の上壁部４ａの上面周縁部から上方に突出する縦部１８ａと、この縦部１８ａの上端から半径方向外側に水平に延びる横部１８ｂと、この横部１８ｂの先端から下方に向かう先端部１８ｃとからなる。
【００２８】
一方、中空円錐部１の側壁部１ｂ内面の下端部には、上記係合突起１８を嵌合可能な係合凹溝２０が全周に亘り連続して形成されている。この係合凹溝２０の奥部（半径方向外側部）は係合突起１８の先端部１８ｃに対応して下側に湾曲している。そして、この係合凹溝２０に係合突起１８を、係合突起１８の先端部１８ｃが係合凹溝２０の奥部と側方から見てオーバーラップするように嵌合し、係合凹溝２０の内面と、係合突起１８において係合凹溝２０に嵌合される横部１８ｂ及び先端部１８ｃの各外面との間、係合突起１８の縦部１８ａ外側面とこれに対向する中空円錐部１の側壁部１ｂ内面（係合凹溝２０よりも下側部分）との間、中空円錐部１の側壁部１ｂ下端面とこれに対向する中空フロート部４上面との間にそれぞれ低温熱硬化性の接着剤２１が介在されて、この接着剤２１により中空円錐部１と中空フロート部４とが一体的に接合されている。
【００２９】
図４及び図１０に示すように、上記中空フロート部４の下壁部４ｂの下面中心部には矩形状の凹陥部２４が形成され、この凹陥部２４の内面はステンレス鋼等の金属板２５で覆われている。この金属板２５の外周面下端部にはフランジ部２５ａが一体に突設され、このフランジ部２５ａは凹陥部２４周りの下壁部４ｂ内に、その補強布６よりも上側（ターンブイＡの上下中央側）に位置付けられており、フランジ部２５ａにより金属板２５が中空フロート部４の下壁部４ｂ内に下方に抜け止めされて一体的に埋め込まれている。そして、上記凹陥部２４の底部（上部）の金属板２５にはチェック弁からなるエア調整弁２７が取り付けられ、このエア調整弁２７は中空フロート部４内と連通しており、このエア調整弁２７を経て中空フロート部４内に空気を供給する一方、エア調整弁２７から中空フロート部４内の空気が抜け出るのを阻止するようになっている。
【００３０】
本発明の特徴として、図１、図６及び図８に示すように、上記中空円錐部１内にマイク３０が配置されている。すなわち、上記マイク３０は、内部に電池（図示せず）が収納されかつ上端に大径部３１ａを有するマイク本体３１と、このマイク本体３１の上端部に一体的に設けられて中空円錐部１内の上部に位置し、網等のガードにより覆われたドーム形状（半球状）の集音部３２と、マイク本体３１の下端部に突設され、マイク本体３１に接続された第１ケーブル３９を収容するケーブル収容管３３とを備え、このケーブル収容管３３の外面には雄ねじ３３ａが形成されている。
【００３１】
一方、図５及び図７に示すように、上記中空フロート部４の上壁部４ａ（中空円錐部１との仕切壁部）の中心部には円筒状のマイク取付金具３６が上壁部４ａを貫通するように取り付けられている。このマイク取付金具３６の外面の上下中間部にはフランジ部３６ａが突設されており、このフランジ部３６ａを上壁部４ａ内に埋め込むことで、マイク取付金具３６が中空フロート部４の上壁部４ａと一体的にかつ気密状に取り付けられている。
【００３２】
そして、上記マイク取付金具３６の内面の上部には、上記ケーブル収容管３３外面の雄ねじ３３ａを螺合可能な雌ねじ（図示せず）が形成されており、ケーブル収容管３３をマイク取付金具３６内に上端から挿入して、その雄ねじ３３ａをマイク取付金具３６内の雌ねじに螺合することで、マイク３０が中空フロート部４の上壁部４ａ（仕切壁部）に起立状態で支持されるようになっている。
【００３３】
上記ケーブル収容管３３にはその管壁部を下端から上側に所定長さだけ切り欠いてなるスリット状のケーブル取出口３４が形成され、このケーブル取出口から上記第１ケーブル３９を引出し可能とされている。一方、上記マイク取付金具３６の中空円錐部１内への突出部にはその上端からフランジ部３６ａ近傍まで延びるスリット状のケーブル取出口３７が形成され、このケーブル取出口３７から第２ケーブル４０を引出し可能とされており、これらケーブル取出口３４，３７からそれぞれケーブル３９，４０を引き出した状態で、上記の如くケーブル収容管３３をマイク取付金具３６内に挿入螺合して両者を連結し、その後に両ケーブル３９，４０の先端部にそれぞれ設けられているコネクタ（図示せず）同士を互いに接続するようになっている。
【００３４】
そして、上記第１ケーブル３９と第２ケーブル４０とで本発明でいう接続ケーブルが構成されている。この接続ケーブル（第１及び第２ケーブル３９，４０）は、マイク３０の信号を出力させるものであるが、その他、マイク３０をターンブイＡ外からＯＮ状態又はＯＦＦ状態に切り換えるための信号等のマイク制御信号をマイク３０に入力させるケーブルや他の必要なケーブルを含んでいてもよい。
【００３５】
上記マイク取付金具３６において中空フロート部４内に位置する下端部には、中空フロート部４内に収容したケーブル保護管４２の上端部が気密状に外嵌合されて連結されている。３６ｂはマイク取付金具３６の下端部外周面に形成された抜止め部である。
【００３６】
一方、図１０に示すように、上記中空フロート部４の下壁部４ｂにおける金属板２５の底壁部中心部にはケーブル引出金具２６が一体的に形成されている。このケーブル引出金具２６は金属板２５を貫通する円筒状のもので、その下端部が金属板２５にその底壁部から下方に突出しないように気密状に接合されている。ケーブル引出金具２６は、中空フロート部４の下壁部４ｂにおける凹陥部２４の底壁部に形成した孔部２４ａ内を所定の隙間をあけて上方に延び、この孔部２４ａ内のケーブル引出金具２６に、上記ケーブル保護管４２の下端部が気密状に外嵌合されて連結されている。２６ａはケーブル引出金具２６の外周面に形成された抜止め部である。
【００３７】
上記の構造により、ケーブル保護管４２の上端部は中空フロート部４の上壁部４ａを貫通するマイク取付金具３６に、また下端部は中空フロート部４の下壁部４ｂを貫通するケーブル引出金具２６にそれぞれ気密状に接続されており、このケーブル保護管４２内の空間は、中空フロート部４内の空間と気密状に区画された状態で大気と連通している（図７参照）。尚、上記の如く、中空フロート部４内は空気が密封されているが、中空円錐部１内は後述する音声取入口５３，５３，…により大気に開放されている。
【００３８】
図１及び図７に示すように、上記ケーブル保護管４２は、ジクザク状に折り曲げられていて、中空フロート部４の上壁部４ａ及び下壁部４ｂが互いに接離するように変形しても、それを吸収するように伸縮する。そして、このケーブル保護管４２内には上記第２ケーブル４０が挿通され、この第２ケーブル４０は、図２に示す如く、中空フロート部４の下壁部４ｂにおける金属板２５のケーブル引出金具２６から中空フロート部４の外側（下側）に引き出された後、上記チェーンＣ及び戻り止めＤに係止されて水底面まで延び、その後に水底面に沿うように配置されて、その先端部が図外のマイクアンプに接続されている。
【００３９】
図８に示すように、上記マイク３０におけるマイク本体３１の大径部３１ａは中空円錐部１の側壁部１ｂ内面と間隔をあけて配置され、このマイク本体３１と中空円錐部１の側壁部１ｂ内面との間にウレタンフォーム等の遮音材４４が介在されている。すなわち、遮音材４４は、上記マイク本体３１の大径部３１ａの上下寸法と同じ厚さを有する円錐台状のもので、その中心部にはマイク挿通孔４４ａが貫通形成され、このマイク挿通孔４４ａに上記マイク本体３１の大径部３１ａが密嵌合されている。上記マイク本体３１の大径部３１ａ上面には、マイク３０の集音部３２を挿通せしめる中心孔４５ａを有する円板状の上側挟持プレート４５が、また大径部３１ａの下面には大径部３１ａ下側のマイク本体３１を挿通せしめる中心孔４６ａを有する円板状の下側挟持プレート４６がそれぞれ配置され、上記上側挟持プレート４５の外周縁部は上記遮音材４４の上面に、また下側挟持プレート４６の外周縁部は遮音材４４の下面にそれぞれ当接している。これら両挟持プレート４５，４６の外周縁部同士は、遮音材４４を上下方向（厚さ方向）に貫通するボルト４７と、このボルト４７に螺合されるナット４８とによりマイク本体３１の大径部３１ａないし遮音材４４を挟むように連結されており、この連結によりマイク３０が遮音材４４に一体的に連結されている。
【００４０】
さらに、上記上側挟持プレート４５の外周縁部上面には吊下げ部材５０の両端部が一体的に取付固定されている。この吊下げ部材５０は、マイク３０の集音部３２外面に沿って一定間隔をあけた状態で配置される湾曲棒状のもので、その上端頂部には連結部材５１が一体的に固定されている。この連結部材５１の上面には有底状のねじ穴５１ａが形成され、このねじ穴５１ａには、上記中空円錐部１の上壁部１ａにおけるナット部材１１の貫通ねじ孔１２に螺合されたアイボルト１０におけるねじ部の下端部が螺合締結されており、このことで、マイク３０の上端部（マイク本体３１）が吊下げ部材５０及び連結部材５１を介してアイボルト１０に取付支持されていて、マイク３０の上端部が振れ止めされている。
【００４１】
上記マイク３０の集音部３２に対応する中空円錐部１の側壁部１ｂに音声取入口５３，５３，…が開口されている。すなわち、図６に示すように、中空円錐部１上部の側壁部１ｂに８つの音声取入口５３，５３，…が４つずつ上下２段にかつ各段で周方向に略等間隔をあけて配列され、上下に隣接する音声取入口５３，５３が周方向に互いに４５°ずつずれている。
【００４２】
より望ましくは、上記各音声取入口５３は内径３０ｍｍのもので、上下２段の音声取入口５３，５３の中心間の上下間隔ｄ１はｄ１＝１１０〜１２０ｍｍであり、中空円錐部１の上面から上段の音声取入口５３の中心までの上下間隔ｄ２はｄ２＝８５〜９０ｍｍとされている。
【００４３】
すなわち、内径３０ｍｍよりも小径の音声取入口５３を多数（例えば９つ以上）設けた場合、マイク３０の集音部３２が風切り音を拾うようになる。一方、逆に、内径３０ｍｍよりも大径の音声取入口５３を少数（例えば７つ以下）設けた場合、中空円錐部１の側壁部１ｂが振動を吸収して籠もり音が発生する。これらのことから、音声取入口５３の内径や数等を上記の如く設定することで、風切り音や籠もり音の少ない音声をマイク３０の集音部３２に入力できて望ましい。
【００４４】
そして、上記各音声取入口５３は、中空円錐部１の側壁部１ｂ内面に貼り付けた防水性（遮水性）を有する風切り音防止材５５で閉塞されている（図８参照）。
【００４５】
次に、上記実施形態のターンブイＡを製造する方法について説明すると、予め、中空円錐部１及び中空フロート部４をそれぞれ別々に成形しておく。尚、中空フロート部４内にケーブル保護管４２が一体的に収容された状態とする。
【００４６】
そして、上記中空円錐部１内にマイク３０をマイク本体３１周りの遮音材４４、吊下げ部材５０、連結部材５１等と共に配置し、その連結部材５１を中空円錐部１の上壁部１ａにおけるナット部材１１の貫通ねじ孔１２に螺合されたアイボルト１０の下端部と螺合締結して、マイク３０を上端部（マイク本体３１）で吊下げ部材５０及び連結部材５１を介してアイボルト１０に取付支持する。また、このマイク３０下端部のケーブル収容管３３のケーブル取出口３４から第１ケーブル３９の出力端部を引き出しておく。
【００４７】
一方、中空フロート部４の下壁部４ｂにおける金属板２５中心部のケーブル引出金具２６に第２ケーブル４０の入力端部を挿入し、この第２ケーブル４０を中空フロート部４のケーブル保護管４２内に挿通した後に、入力端部を中空フロート部４の上壁部４ａのマイク取付金具３６のケーブル取出口３７から引き出しておく。
【００４８】
その後、上記中空円錐部１内の下端部に位置するケーブル収容管３３を中空フロート部４の上壁部４ａから突出したマイク取付金具３６内に上端から挿入して、その雄ねじ３３ａをマイク取付金具３６内の雌ねじに螺合し、このことでマイク３０を中空フロート部４の上壁部４ａ（仕切壁部）に起立状態で支持する。
【００４９】
そのとき、上記中空円錐部１の側壁部１ｂ下部を半径方向外側に捲り上げて、中空フロート部４の上面との間に作業用空間をあけた状態としておく。そして、上記のようにケーブル収容管３３とマイク取付金具３６とが螺合締結された後、ケーブル収容管３３のケーブル取出口３４から引き出されている第１ケーブル３９の出力端部のコネクタと、マイク取付金具３６のケーブル取出口３７から引き出されている第２ケーブル４０の入力端部のコネクタとを、上記中空円錐部１の側壁部１ｂ下端部と中空フロート部４上面との間の作業用空間から引き出した状態で接続する。このことで、マイク３０が第１ケーブル３９を介して第２ケーブル４０に接続され、その接続を容易に行うことができる。
【００５０】
しかる後、上記中空円錐部１の側壁部１ｂ内面下端部の係合凹溝２０内、この係合凹溝２０下側の側壁部１ｂ内面、側壁部１ｂの下端面等に熱硬化性接着剤２１を塗布し、上記中空円錐部１の側壁部１ｂ下部の捲り上げ状態を元に戻すことで、係合凹溝２０内に中空フロート部４上面の係合突起１８を嵌合し、係合凹溝２０の内面と、係合突起１８において係合凹溝２０に嵌合される横部１８ｂ及び先端部１８ｃの各外面との間、係合突起１８の縦部１８ａ外側面とこれに対向する中空円錐部１の側壁部１ｂ内面（係合凹溝２０よりも下側部分）との間、中空円錐部１の側壁部１ｂ下端面とこれに対向する中空フロート部４上面との間にそれぞれ接着剤２１が介在された状態とする。そして、この状態でターンブイＡ全体を低温炉に収容し、上記熱硬化性接着剤２１を加熱して硬化させる。以上により中空円錐部１と中空フロート部４とが接着剤２１により一体的に接合される。尚、このように低温で硬化する接着剤２１を使用することで、その硬化のための加熱時にマイク３０やその周辺機材を熱劣化させることはない。
【００５１】
したがって、上記実施形態においては、競艇場のコースを形成するターンブイＡの中空円錐部１内にマイク３０が配置され、中空円錐部１の側壁部１ｂ上部にマイク３０に音声取入口５３，５３，…が開口されているので、レース中の音声、例えばターンブイＡ近くに待機中のボートやターンブイＡ周りを走行中のボートのエンジン音、選手の声が音声取入口５３，５３，…を通してマイク３０に入力され、それら音声を間近の位置で捉えることができる。このことで、レースの臨場感や緊迫感を表す生の音声を効果音として集音でき、その音声を競艇場以外の場所に提供することが可能となる。
【００５２】
また、上記マイク３０の集音部３２は、中空円錐部１内の上部に配置されているので、その集音部３２が配置される集音空間が小さくなり、その集音部３２を中空円錐部１内の上下中央部や下部に配置する場合のように、集音空間が大きくなって籠もり音を集音部３２が拾うのを防止することができる。
【００５３】
しかも、上記中空円錐部１の側壁部１ｂ上部に複数の音声取入口５３，５３，…が上下複数段にかつ各段で周方向に略等間隔をあけて配列され、これら上下に隣接する音声取入口５３，５３は周方向に互いにずれているので、マイク３０に対し生の音声を、風切り音等の雑音や籠もり音等の変性のないクリアな状態で捉えることができ、レースの臨場感を表すのに望ましい音声が得られる。
【００５４】
さらに、上記各音声取入口５３は風切り音防止材５５で閉塞されているので、マイク３０に風切り音が入力するのを防止して、生の音声をより一層クリアな状態で捉えることができる。また、風切り音防止材５５は防水性を有するので、水が音声取入口５３から中空円錐部１内に入ってマイク３０にかかるのを風切り音防止材５５で防いで、マイク３０の作動安定性や信頼性を高めることができる。
【００５５】
また、上記マイク３０は中空円錐部１の側壁部１ｂ内面と間隔をあけて配置され、このマイク３０と中空円錐部１の側壁部１ｂ内面との間に遮音材４４が介在されているので、レースの音声が中空円錐部１の側壁部１ｂを経てマイク３０に入力されること、つまりレースの音声により中空円錐部１の側壁部１ｂが振動し、その振動をマイク３０が拾うことを防いで、そのレースの音声が籠もるのを防止でき、より一層クリアなレース音声を集音することができる。
【００５６】
さらにまた、上記中空フロート部４において中空円錐部１内の空間と仕切る仕切壁部としての上壁部４ａにマイク３０が起立状態で支持されているので、同じマイク３０を中空円錐部１の側壁部１ｂ等に支持する場合のように中空円錐部１の側壁部１ｂ等の振動によりマイク３０が振動するのを防止でき、より一層クリアなレース音声を集音することができる。
【００５７】
加えて、上記マイク３０の接続ケーブル（第１ケーブル３９及び第２ケーブル４０）は、中空フロート部４の下面から引き出されているので、ターンブイＡの設置状態ではマイク３０の接続ケーブルがターンブイＡの下側から水中に延びることとなり、そのケーブルが水面上に露出せず、外観見映えを向上させることができる。
【００５８】
しかも、上記中空円錐部１と中空フロート部４とは一体的に接合されているので、例えば走行中のボートがターンブイＡに接触したとしても中空円錐部１と中空フロート部４とは分離し難くなり、ターンブイＡの耐久性、信頼性を高めることができる。
【００５９】
（他の実施形態）
尚、本発明は上記実施形態に限定されず、種々の他の実施形態を包含するものである。例えば上記実施形態では、中空フロート部４の上壁部４ａの上面周縁部に係合突起１８を、また中空円錐部１の側壁部１ｂ内面の下端部に係合凹溝２０をそれぞれ形成して、両者の係合により中空円錐部１と中空フロート部４とを一体的に接合しているが、これ以外の係合構造を採用することもでき、中空円錐部１と中空フロート部４とを一体的に接合できさえすればよい。
【００６０】
また、上記実施形態では、中空円錐部１と中空フロート部４とを接着剤２１により一体的に接合しているが、この構造に代え、中空円錐部１と中空フロート部４とが分割可能に組み付けられている構造としてもよい。その場合、例えばマイク３０の点検や交換、マイク３０に内蔵された電池の交換等をする場合に、中空円錐部１と中空フロート部４とを分割すればよく、その点検や交換を容易に行うことができる。尚、中空フロート部４のみが空気封入構造であればよく、中空円錐部１の内部は大気に開放されているので、上記中空円錐部１の中空フロート部４からの分割に伴ってターンブイＡの空気封入構造が影響を受けることはない。
【００６１】
また、上記実施形態では、中空円錐部１の上壁部１ａにおけるナット部材１１の貫通ねじ孔１２にアイボルト１０を螺合しているが、このアイボルト１０を設けない場合には、ナット部材１１の貫通ねじ孔１２にビス等を螺合して、その下端部を連結部材５１上面のねじ穴５１ａに螺合締結することで、マイク３０の上端部を吊下げ部材５０及び連結部材５１を介してビス等により支持して、マイク３０の上端部を振れ止めするようにしてもよい。
【００６２】
さらに、上記実施形態では、中空円錐部１上部の側壁部１ｂに開口される音声取入口５３として、８つの音声取入口５３，５３，…を４つずつ上下２段にかつ各段で周方向に略等間隔をあけて配列し、その上下に隣接する音声取入口５３，５３を周方向に互いに４５°ずつずらしているが、本発明は上記実施形態の配列に限定されず、中空円錐部１上部の側壁部１ｂに複数の音声取入口５３，５３，…が上下複数段にかつ各段で周方向に略等間隔をあけて配列され、上下に隣接する音声取入口５３，５３が周方向に互いにずれていればよい。さらには、音声取入口５３は、中空円錐部１上部の上壁部１ａに設けることもできる。
【００６３】
また、上記実施形態では、中空円錐部１内の全体が大気に開放された構造としているが、少なくともマイク３０の集音部３２が音声取入口５３を大気に開放されていればよく、マイク３０の集音部３２以外の部分を空気封入構造とすることもできる。
【００６４】
さらに、上記実施形態は、中空円錐部及び中空フロート部が一体的に組み付けられた競艇用ターンブイＡであるが、中空タイプ以外のターンブイに対しても適用できる。要はマイクが内蔵されていればよい。
【００６５】
【発明の効果】
以上説明したように、請求項１の発明では、競艇用ターンブイの内部にマイクを配置した。また、請求項２の発明では、競艇用ターンブイにおける中空円錐部内にマイクを配置し、このマイクの集音部に対応する中空円錐部の壁部に音声取入口を開口した。従って、これら発明によると、レース中の音声をマイクに入力させて、それら音声を間近の位置で捉えることができ、レースの臨場感や緊迫感を表す生の音声を効果音として集音して、その音声を競艇場以外の場所に提供することができ、その場所でのレース臨場感の向上を図ることができる。
【００６６】
請求項３の発明によると、マイクの集音部を上記中空円錐部内の上部に配置したことにより、マイクの集音部が配置される集音空間を小さくでき、そのマイクの集音部が籠もり音を拾うのを防止することができる。
【００６７】
請求項４の発明によると、中空円錐部の側壁部上部に複数の音声取入口を上下複数段にかつ各段で周方向に間隔をあけて配列し、これら上下に隣接する音声取入口を周方向に互いにずらしたことにより、マイクに対し生の音声を、風切り音等の雑音や籠もり音等の変性のないクリアな状態で捉えて、レースの臨場感を表すのに望ましい音声が得られる。
【００６８】
請求項５の発明によると、防水性を有する風切り音防止材で音声取入口を閉塞したことにより、マイクに風切り音が入力するのを防止して、生の音声を風切り音の少ないより一層クリアな状態で捉えるとともに、水が音声取入口から中空円錐部内に入ってマイクにかかるのを防いで、マイクの作動安定性や信頼性を高めることができる。
【００６９】
請求項６の発明によると、マイクを中空円錐部の壁部内面と間隔をあけて配置し、これらマイクと中空円錐部の壁部内面との間に遮音材を介在したことにより、レースの音声が中空円錐部の壁部を経てマイクに入力されて籠もるのを防止でき、より一層クリアなレース音声を集音することができる。
【００７０】
請求項７の発明によれば、中空円錐部内の空間と仕切る中空フロート部の上壁部にマイクを支持するようにしたことにより、マイクを中空円錐部の壁部に支持する場合のように中空円錐部の壁部の振動によりマイクが振動するのを防止でき、より一層クリアなレース音声を集音することができる。
【００７１】
請求項８の発明によれば、マイクの接続ケーブルを、中空フロート部下面から引き出したことにより、ターンブイの設置状態ではマイクの接続ケーブルが水面上に露出せず、その外観見映えの向上を図ることができる。
【００７２】
請求項９の発明によると、中空円錐部と中空フロート部とを一体的に接合したことにより、中空円錐部と中空フロート部とを分離し難くしてターンブイの耐久性及び信頼性の向上を図ることができる。
【００７３】
請求項１０の発明によると、中空円錐部と中空フロート部とを分割可能に組み付けたことにより、マイクの点検、マイク自体又はその内蔵電池の交換等を容易に行うことができる。
【図面の簡単な説明】
【図１】本発明の実施形態に係る競艇用ターンブイの全体構成を示す断面図である。
【図２】ターンブイの設置状態を示す正面図である。
【図３】ターンブイの平面図である。
【図４】ターンブイの底面図である。
【図５】中空フロート部及び中空円錐部の接合部の拡大断面図である。
【図６】中空円錐部の全体構成を示す断面図である。
【図７】中空フロート部の全体構成を示す断面図である。
【図８】中空円錐部上部の拡大断面図である。
【図９】中空フロート部底面のアイボルト取付部分を示す拡大断面図である。
【図１０】中空フロート部の底壁部の要部を拡大して示す断面図である。
【符号の説明】
Ａ  競艇用ターンブイ
１  中空円錐部
１ｂ  側壁部
４  中空フロート部
４ａ  上壁部
１８  係合突起
２０  係合凹溝
２１  接着剤
２６  ケーブル引出金具
３０  マイク
３１  マイク本体
３２  集音部
３３  ケーブル収容管
３６  マイク取付金具
３９  第１ケーブル（接続ケーブル）
４０  第２ケーブル（接続ケーブル）
４２  ケーブル保護管
４４  遮音材
５０  吊下げ部材
５１  連結部材
５３  音声取入口
５５  風切り音防止材
ｄ１  上下２段の音声取入口の中心間の上下間隔
【図１】
2004276745.tif 000003
【図２】
2004276745.tif 000004
【図３】
2004276745.tif 000005
【図４】
2004276745.tif 000006
【図５】
2004276745.tif 000007
【図６】
2004276745.tif 000008
【図７】
2004276745.tif 000009
【図８】
2004276745.tif 000010
【図９】
2004276745.tif 000011
【図１０】
2004276745.tif 000012